(57)【要約】  コントローラは、コンポーネントの故障が検出されると、セーフモードで製氷機の動作を継続する。氷厚プローブの故障によるセーフモード中、冷凍サイクルの冷凍時間は、故障前の所定回数分の直前冷凍サイクルの平均冷凍時間に基づく。水位プローブの故障によるセーフモード中、注水弁稼働時間は、故障前の所定回数分の直前冷凍サイクルの平均注水弁稼働時間に基づく。所定の時間が経過した後、故障が直されていなければ、コントローラは、製氷機をスタンバイモードに入らせるか、又は製氷機が氷を製造する動作を停止する。
2014504718.tif 000002
【特許請求の範囲】
【請求項１】
複数のコンポーネントを備える製氷装置と、
冷凍サイクル及び収穫サイクルを用いて氷を製造するために通常モードにおいて前記コンポーネントを制御し、第１のコンポーネント、第２のコンポーネント及び／又は前記複数のコンポーネントの前記第１のコンポーネント及び前記第２のコンポーネントの両方の故障を検出した場合、セーフモードにおいて、前記通常モード中に記録された履歴情報を利用して前記冷凍サイクル及び前記収穫サイクルを用いて氷の製造を継続するコントローラと、
を備える製氷機。
【請求項２】
前記第１のコンポーネント及び前記第２のコンポーネントが、氷厚プローブ及び水位プローブからなる群から選択される、請求項１に記載の製氷機。
【請求項３】
前記第１のコンポーネント及び第２のコンポーネントが、それぞれ、氷厚プローブ及び水位プローブであり、前記履歴情報が、所定回数分の最新冷凍サイクルに基づいた最新平均冷凍サイクル時間値及び最新平均注水弁稼動時間値を含む、請求項１に記載の製氷機。
【請求項４】
前記コントローラが、
前記氷厚プローブの故障であれば、前記故障検出前の前記最新平均冷凍サイクル時間と、
前記水位プローブの故障であれば、前記最新平均注水弁稼働時間値と、
前記氷厚プローブ及び前記水位プローブの両方の故障であれば、前記注水弁及び前記冷凍サイクル時間の両方の前記最新平均値と、
を用いて、前記故障検出後、すべての後続する冷凍サイクルを前記セーフモードで実行する、請求項３に記載の製氷機。
【請求項５】
前記コントローラが、前記故障が検出された後の所定の時間に前記故障が直されていない状態のままであれば、前記セーフモードを終了する、請求項１に記載の製氷機。
【請求項６】
前記コントローラが、前記セーフモードを終了すると、スタンバイモードに入るか、又は前記製氷機の動作を停止する、請求項１に記載の製氷機。
【請求項７】
前記コントローラが、セーフモードにある間、ユーザインタフェースに警告を発する、請求項１に記載の製氷機。
【請求項８】
前記コントローラが、プロセッサと、前記通常モード及び前記セーフモードの命令を含む１つ以上のプログラムが格納されるメモリとを備え、前記プロセッサが、
前記セーフモードの持続時間を測定するタイマを開始することと、
前記履歴情報を用いて前記通常モードのように氷の製造を継続することと、
前記持続時間が終了する前に前記故障が直されれば、前記通常モードに戻ることと、
前記持続時間が終了しても前記故障が存在すれば、前記製氷機の動作を停止するか、又はスタンバイモードに入ることと、
を含む動作を行うために前記命令を実行する、請求項３に記載の製氷機。
【請求項９】
前記動作が、ユーザインタフェースに警告を発することをさらに含む、請求項８に記載の製氷機。
【請求項１０】
前記動作が、修理員に前記故障の通知を送信することをさらに含む、請求項８に記載の製氷機。
【請求項１１】
前記動作が、前記持続時間が終了するまで、又は前記故障が直されるまで、前記冷凍サイクル及び前記収穫サイクルを前記セーフモードで実行し続けることをさらに含む、請求項８に記載の製氷機。
【請求項１２】
複数のコンポーネント及びコントローラを備える製氷機の動作方法であって、
冷凍サイクル及び収穫サイクルを用いて氷を製造するために通常モードにおいて前記コンポーネントを制御することと、
第１のコンポーネント、第２のコンポーネント及び／又は前記複数のコンポーネントの前記第１のコンポーネント及び前記第２のコンポーネントの両方の故障を検出した場合、前記通常モード中に記録された履歴情報を利用して前記冷凍サイクル及び前記収穫サイクルを用いてセーフモードで氷の製造を継続することと、
を含む方法。
【請求項１３】
前記第１のコンポーネント及び第２のコンポーネントが、それぞれ、氷厚プローブ及び水位プローブであり、前記履歴情報が、所定回数分の最新冷凍サイクルに基づいた最新平均冷凍サイクル時間値及び最新平均注水弁稼動時間値を含む、請求項１２に記載の方法。
【請求項１４】
前記コントローラが、プロセッサと、前記通常モード及び前記セーフモードの命令を含む１つ以上のプログラムが格納されるメモリとを備え、
前記セーフモードの持続時間を測定するタイマを開始することと、
前記履歴情報を用いて前記通常モードのように氷の製造を継続することと、
前記持続時間が終了する前に前記故障が直されれば、前記通常モードに戻ることと、
前記持続時間が終了しても前記故障が存在すれば、前記製氷機の動作を停止するか、又はスタンバイモードに入ることと、
を含むステップを行うための命令をプロセッサに実行させることをさらに含む、請求項１３に記載の方法。
【請求項１５】
ユーザインタフェースに警告を発することをさらに含む、請求項１４に記載の方法。
【請求項１６】
修理員に前記故障の通知を送信することをさらに含む、請求項１４に記載の方法。
【請求項１７】
前記持続時間が終了するまで、又は前記故障が直されるまで、前記冷凍サイクル及び前記収穫サイクルを前記セーフモードで実行し続けることをさらに含む、請求項１４に記載の方法。
【発明の詳細な説明】
【技術分野】
【０００１】
本開示は、製氷機に関し、特に、コンポーネントが故障した場合、修理担当者が故障したコンポーネントの修理に来るまで、製氷機の動作を可能にする製氷機及び方法に関する。
【背景技術】
【０００２】
典型的な製氷機は、通常の動作中にさまざまなコンポーネントから情報を収集するコントローラを含む。コンポーネントは、氷厚プローブ、水位プローブ、サーミスタ／熱電対、アクセサリビンレベルセンサ、ユーザインタフェース、１つ以上の冷媒圧力センサ及び他のコンポーネントを含む。氷厚プローブは、蒸発器の製氷表面上に形成される氷の厚さを測定する。水位プローブは、一回分の氷の製造に適正な水の量を与えるために、水溜め／槽にある水量を制御するために使用される。サーミスタ又は熱電対は、冷媒液ライン、圧縮機吐出し口、蒸発器入口、蒸発器出口を含むが、これらに限定されるものではない冷凍システムの温度を検知する。ビンレベルセンサは、ビン貯蔵領域での氷の量を測定するために使用される。ユーザインタフェースは、ユーザが情報の入力に使用しうるキーパッドを含む。冷媒圧力センサは、冷凍システムのさまざまな場所で冷媒圧力を検出する。これらのコンポーネントの１つが故障した場合、典型的な製氷機はシャットダウンする。製氷機の所有者は、修理担当者が到着して製氷機の修理を終えるまで、別の供給元から氷を入手せざるをえなくなる。
【発明の概要】
【発明が解決しようとする課題】
【０００３】
別の供給元から調達する事態を避けるために、ある特定のコンポーネントが故障した場合でも氷の製造を継続できる能力が必要とされている。
【課題を解決するための手段】
【０００４】
本開示の製氷機の１つの実施形態は、複数のコンポーネントと、コントローラとを備える製氷装置を含む。コントローラは、通常モードにおいて、冷凍サイクル及び収穫（ｈａｒｖｅｓｔ）サイクルを用いて氷を製造するためにコンポーネントを制御する。第１のコンポーネント、第２のコンポーネント及び／又は複数のコンポーネントの第１のコンポーネント及び第２のコンポーネントの両方の故障を検出した場合、コントローラは、通常モード中に記録された履歴情報を利用して冷凍サイクル及び収穫サイクルを用いてセーフモードで氷の製造を継続する。
【０００５】
本開示の製氷機の別の実施形態において、第１のコンポーネント及び第２のコンポーネントは、氷厚プローブと、水位プローブとからなる群から選択される。
【０００６】
本開示の製氷機の別の実施形態において、第１のコンポーネント及び第２のコンポーネントは、それぞれ、氷厚プローブ及び水位プローブであり、履歴情報は、所定回数の最新冷凍サイクルに基づいた最新平均冷凍サイクル時間値及び最新平均注水弁稼動時間値を含む。
【０００７】
本開示の製氷機の別の実施形態において、コントローラは、
氷厚プローブの故障であれば、故障検出前の最新平均冷凍サイクル時間と、
水位プローブの故障であれば、最新平均注水弁稼働時間値と、
氷厚プローブ及び水位プローブの両方の故障であれば、注水弁及び冷凍サイクル時間の両方の最新平均値と、
を用いて故障検出後のすべての後続する冷凍サイクルをセーフモードで実行する。
【０００８】
本開示の製氷機の別の実施形態において、コントローラは、故障が検出された後の所定の時間に故障が直されていない状態のままであれば、セーフモードを終了する。
【０００９】
本開示の製氷機の別の実施形態において、コントローラは、セーフモードを終了すると、スタンバイモードに入るか、又は製氷機の動作を停止する。
【００１０】
本開示の製氷機の別の実施形態において、コントローラは、セーフモードにある間、ユーザインタフェースに警告を発する。
【００１１】
本開示の製氷機の別の実施形態において、コントローラは、プロセッサと、通常モード及びセーフモードの命令を含む１つ以上のプログラムが格納されるメモリとを備える。プロセッサは、
セーフモードの持続時間を測定するタイマを開始することと、
履歴情報を用いて通常モードのように氷の製造を継続することと、
持続時間が終了する前に故障が直されれば、通常モードに戻ることと、
持続時間が終了しても故障が存在すれば、製氷機の動作を停止し、又はスタンバイモードに入ることと、
を含む動作を行うための命令を実行する。
【００１２】
本開示の製氷機の別の実施形態において、上記動作は、ユーザインタフェースに警告を発することをさらに含む。
【００１３】
本開示の製氷機の別の実施形態において、上記動作は、修理員に故障の通知を送信することをさらに含む。
【００１４】
本開示の製氷機の別の実施形態において、上記動作は、持続時間が終了するまで、又は故障が直されるまで、冷凍サイクル及び収穫サイクルをセーフモードで実行し続けることをさらに含む。
【００１５】
本開示の方法の１つの実施形態は、
冷凍サイクル及び収穫サイクルを用いて氷を製造するために、通常モードでコンポーネントを制御することと、
第１のコンポーネント、第２のコンポーネント及び／又は複数のコンポーネントの第１のコンポーネント及び第２のコンポーネントの両方の故障を検出した場合、通常モード中に記録された履歴情報を利用して冷凍サイクル及び収穫サイクルを用いてセーフモードで氷の製造を継続することと、
によって、複数のコンポーネント及びコントローラを備える製氷機を動作させる。
【００１６】
本開示の方法の別の実施形態において、第１のコンポーネント及び第２のコンポーネントは、それぞれ、氷厚プローブ及び水位プローブである。履歴情報は、最新平均冷凍サイクル時間値及び所定回数分の最新冷凍サイクルに基づいた最新平均注水弁稼動時間値を含む。
【００１７】
本開示の方法の別の実施形態において、コントローラは、プロセッサと、通常モード及びセーフモードの命令を含む１つ以上のプログラムが格納されるメモリとを備える。この方法は、
セーフモードの持続時間を測定するタイマを開始することと、
履歴情報を用いて通常モードのように氷の製造を継続することと、
持続時間が終了する前に故障が直されれば、通常モードに戻ることと、
持続時間が終了しても故障が存在すれば、製氷機の動作を停止し、又はスタンバイモードに入ることと、
を含むステップを行うための命令をプロセッサに実行させることをさらに含む。
【００１８】
本開示の方法の別の実施形態において、この方法は、ユーザインタフェースに警告を発することをさらに含む。
【００１９】
本開示の方法の別の実施形態において、この方法は、修理員に故障の通知を送信することをさらに含む。
【００２０】
本開示の方法の別の実施形態において、この方法は、持続時間が終了するまで、又は故障が直されるまで、冷凍サイクル及び収穫サイクルをセーフモードで実行し続けることをさらに含む。
【００２１】
本開示の他のさらなる目的、利点及び特徴は、同様の参照符号が同様の構造要素を示す添付の図面と組み合わせて以下の明細書を参照することによって理解される。
【図面の簡単な説明】
【００２２】
【図１】本開示の製氷機のブロック図である。
【図２】図１の製氷機のコントローラのブロック図である。
【図３】図２のコントローラのセーフモードのフローチャートである。
【発明を実施するための形態】
【００２３】
図１を参照すると、製氷機２０は、製氷装置２２と、コントローラ２４と、ユーザインタフェース２６とを備える。製氷装置２２は、貯水部（又は水溜め）２８と、冷凍システム３０と、凝縮器３２と、蒸発器３４と、アイスビン３６とを備える。冷凍システム３０は、冷凍サイクル中に冷媒流を供給し、収穫サイクル中にホットガス流を供給するために凝縮器３２及び蒸発器３４と流体連通状態にある。冷凍サイクル中、貯水部２８から蒸発器３４の製氷表面へ水が供給され、製氷表面に供給された水は、製氷表面上に氷を成長させるために冷媒流によって冷却される。収穫サイクル中、製氷表面は、アイスビン３６内に氷が落下するように製氷表面から氷を離すために、ホットガス流によって温められる。
【００２４】
コントローラ２４は、製氷装置２２のさまざまなコンポーネントとの接続を通して冷凍サイクル及び収穫サイクルを制御する。これらのコンポーネントは、注水弁３８と、水位プローブ（ＷＬＰ）４０と、氷厚プローブ（ＩＴＰ）４２と、図面には示していない他のものを含む。注水弁３８は、水源（図示せず）から貯水部２８に水を供給するように設置され、接続３９を介して電気回路においてコントローラ２４に接続される。水位プローブ４０は、貯水部２８に設置され、接続４４を介して電気回路においてコントローラ２４に接続される。氷厚プローブ４２は、蒸発器３４に設置され、接続４６を介して電気回路においてコントローラ２４に接続される。別の接続４８は、コントローラ２４とユーザインタフェース２６とを接続する。これらの接続の各々は、１つ以上の別々の導体を含んでもよい。
【００２５】
ユーザインタフェース２６は、ディスプレイ２５と、キーパッド２７（又は他のユーザ入力デバイス）と、オン／オフスイッチ２９とを備える。
【００２６】
図２を参照すると、コントローラ２４は、バス５６によって相互に接続された、プロセッサ５０と、メモリ５４と、入力／出力（Ｉ／Ｏ）ユニット５２とを備える。通常モードプログラム６０、セーフモードプログラム６２、冷凍サイクルプログラム６４及び収穫サイクルプログラム６６は、プロセッサ５０（例えば、オペレーティングシステム及びユーティリティプログラム）及び製氷装置２２の動作に必要な他のプログラム（図示せず）とともに、メモリ５４に格納される。メモリ５４は、ランダムアクセスメモリ、読み出し専用メモリ、プラグインメモリ（例えば、フラッシュメモリ、ディスクメモリ又は他のプラグインメモリ）及び／又はそれらの任意の組み合わせなど、任意の適切なメモリであってもよい。プラグインメモリは、例えば、ＵＳＢポート６８を介してコントローラ２４に差し込まれてもよい。
【００２７】
Ｉ／Ｏユニット５２は、製氷装置２２及びユーザインタフェース２６との接続を含む。これらの接続は、接続３９、４４、４６及び４８（図１）並びに他の接続（図示せず）を含む。
【００２８】
プロセッサ５０は、通常モードプログラム６０、セーフモードプログラム６２、冷凍サイクルプログラム６４及び収穫サイクルプログラム６６を実行し、氷を製造する製氷装置２２の動作を制御し、製氷装置２２の動作に関する情報を収集するように動作可能である。通常モードプログラム６０、冷凍サイクルプログラム６４及び収穫サイクルプログラム６６は、現在又は今後周知される任意の適切なプログラムであってもよい。
【００２９】
プロセッサ５０は、の直前冷凍サイクルの所定回数Ｘにわたる冷凍サイクル時間及び水溜め注水時間を収集し平均化する。例えば、１つの実施形態において、所定回数は５回とする。各冷凍サイクル６４の開始時、プロセッサ５０は水溜め注水時間及び冷凍サイクル時間の測定を開始する。水溜め注水時間は、各冷凍サイクルの間に注水弁３８が励起されている総時間である。冷凍サイクル時間は、蒸発器３４の製氷表面への給水開始時に始まり、氷が１つのスラブとして収穫可能である厚さに氷スラブが達したという信号をＩＴＰ４２が送ると終了する。プロセッサ５０は、収穫サイクル６６の実行を開始し、冷凍サイクルを記録し、メモリ５４の平均冷凍サイクル時間及び平均水溜め注水時間（又は注水弁稼働時間）を更新する。通常モード中に記録された平均冷凍サイクル時間及び平均注水時間は、履歴情報を含む。
【００３０】
図２及び図３を参照すると、プロセッサ５０は、ボックス７０に反映されているように、ＷＬＰ４０又はＩＴＰ４２の一方或いは両方の検出故障を定期的にチェックすることによって、セーフモードプログラム６２を実行する。ＷＬＰ障害信号は、ＷＬＰ４０から接続４４を介してコントローラ２４に伝送される。ＩＴＰ障害信号は、ＩＴＰ４２から接続４６を介してコントローラ２４に伝送される。障害が検出されなければ、プロセッサ５０は、セーフモードプログラム６２を終了する。デフォルトが検出されれば、プロセッサ５０は、ボックス７２において、冷凍システム３０又は注水システムの障害又は故障があるかを判定する。真であれば、プロセッサ５０はセーフモードプログラム６２を終了する。偽であれば、プロセッサ５０は、ボックス７４に示されているように、セーフモードプログラム６２の実行を継続する。ボックス７６において、プロセッサ５０は、ユーザインタフェース２６、例えば、ディスプレイ２５上の適切な場所に発せられる警告を生じる。
【００３１】
ボックス７８において、プロセッサ５０は、例えば、前のセーフモード冷凍サイクル中にすでにタイマが開始されていなければ、コントローラ２４がセーフモードプログラム６２で動作している時間を測定するためのタイマを開始する。ボックス８０において、プロセッサ５０は、現在実行中の冷凍サイクルプログラム６４又は収穫サイクルプログラム６６を継続する。現在実行中のプログラムがなければ、プロセッサ５０は、通常の製氷過程で冷凍サイクルプログラム６４の実行を開始する。例えば、冷凍サイクルプログラム６４の実行は、アイスビン３６のビンレベルセンサ（図示せず）が、アイスビン３６内での氷のレベルがより多くの氷を要求するレベルに到達したという信号を送るときに開始される。
【００３２】
プロセッサ５０がＷＬＰの故障を認識した場合、各後続冷凍サイクルの開始時に、検出前の最新平均水溜め注水時間の間（履歴情報）、注水弁３８が開かれる。次に、冷凍サイクルが実行され、ＩＴＰ４２による氷厚検出に基づいて冷凍サイクルが終了する。
【００３３】
プロセッサ５０がＷＬＰの故障及びＩＴＰの故障両方を認識した場合、水溜め注水時間及び冷凍サイクル時間（履歴情報）の両方の検出前の最新平均値が、収穫が開始されるまで注水弁３８の開口及び持続時間（冷凍サイクル時間）を制御するために使用される。
【００３４】
ボックス８２において、ＩＴＰの障害であれば、プロセッサ５０は、ＩＴＰ障害の検出前に直前のＸ回分の冷凍サイクルに基づいた平均冷凍サイクル時間を冷凍サイクル時間として使用する。ＷＬＰ障害であれば、プロセッサ５０は、ＷＬＰ障害の検出前の直前のＸ回分の冷凍サイクルの注水弁３８の総平均稼働時間（履歴情報）に基づいて、貯水部２８の注水弁３８の総開口時間を使用する。
【００３５】
ボックス８４において、収穫サイクルプログラム６６の実行が終了したとき、プロセッサ５０は、タイマカウントがタイムアウト値に等しいかを判定する。真であれば、プロセッサ５０はセーフモードプログラム６２を終了する。例えば、プロセッサ５０は、スタンバイモードに入ってもよいし、又は製氷機２０の動作を停止してもよい。偽であれば、ボックス７０において実行が継続される。障害が再度検出されれば、プログラムの実行は、後続のボックスへと継続する。偽であれば、プロセッサ５０は、ボックス８６において、必要に応じてタイマをリセットし、次いで終了し、通常モードプログラム６０の実行に戻る。
【００３６】
本開示のさらなる実施形態は、障害の通知を修理員へ自動的に与える。これは、図１に示すように、コントローラ２４から機器監視サービス（コールセンター）９２にネットワークゲートウェイ９０によって達成される。次に、機器監視サービス９２は、機器の補修を行うローカル修理員に連絡をとる。
【００３７】
セーフモードの間、コントローラ２４は、動作安全装置及び他の診断機能の監視を継続し、必要であれば、製氷機２０を保護するためにシャットダウンする。
【００３８】
製氷機２０は、ＩＴＰ故障又はＷＬＰ故障のいずれかであれば、動作（製氷）を継続できるという利点を有する。さらに、氷がなくなる前に修理員に通知できるように、オペレータに故障が通知される。
【００３９】
このようにして、本開示は、本開示の好ましい形態を特に参照しながら記述されてきたが、添付の特許請求の範囲に規定されるように、本開示の趣旨及び範囲から逸脱することなくさまざまな変更及び修正が加えられてもよいことは明らかであろう。
【図１】
2014504718.tif 000003
【図２】
2014504718.tif 000004
【図３】
2014504718.tif 000005
【手続補正書】
【提出日】平成25年10月11日(2013.10.11)
【手続補正１】
【補正対象書類名】特許請求の範囲
【補正対象項目名】全文
【補正方法】変更
【補正の内容】
【特許請求の範囲】
【請求項１】
複数のコンポーネントを備える製氷装置と、
冷凍サイクル及び収穫サイクルを用いて氷を製造するために通常モードにおいて前記コンポーネントを制御し、第１のコンポーネント、第２のコンポーネント及び／又は前記複数のコンポーネントの前記第１のコンポーネント及び前記第２のコンポーネントの両方の故障を検出した場合、セーフモードにおいて、前記通常モード中に記録された履歴情報を利用して前記冷凍サイクル及び前記収穫サイクルを用いて氷の製造を継続するコントローラと、
を備える製氷機。
【請求項２】
前記第１のコンポーネント及び前記第２のコンポーネントが、氷厚プローブ及び水位プローブからなる群から選択される、請求項１に記載の製氷機。
【請求項３】
前記第１のコンポーネント及び第２のコンポーネントが、それぞれ、氷厚プローブ及び水位プローブであり、前記履歴情報が、所定回数分の最新冷凍サイクルに基づいた最新平均冷凍サイクル時間値及び最新平均注水弁稼動時間値を含む、請求項１に記載の製氷機。
【請求項４】
前記コントローラが、
前記氷厚プローブの故障であれば、前記故障検出前の前記最新平均冷凍サイクル時間値と、
前記水位プローブの故障であれば、前記最新平均注水弁稼働時間値と、
前記氷厚プローブ及び前記水位プローブの両方の故障であれば、前記注水弁稼働時間値及び前記冷凍サイクル時間値の両方の前記最新平均値と、
を用いて、前記故障検出後、すべての後続する冷凍サイクルを前記セーフモードで実行する、請求項３に記載の製氷機。
【請求項５】
前記コントローラが、前記故障が検出された後の所定の時間に前記故障が直されていない状態のままであれば、前記セーフモードを終了する、請求項１に記載の製氷機。
【請求項６】
前記コントローラが、前記セーフモードを終了すると、スタンバイモードに入るか、又は前記製氷機の動作を停止する、請求項１に記載の製氷機。
【請求項７】
前記コントローラが、セーフモードにある間、ユーザインタフェースに警告を発する、請求項１に記載の製氷機。
【請求項８】
前記コントローラが、プロセッサと、前記通常モード及び前記セーフモードの命令を含む１つ以上のプログラムが格納されるメモリとを備え、前記プロセッサが、
前記セーフモードの持続時間を測定するタイマを開始することと、
前記履歴情報を用いて前記通常モードのように氷の製造を継続することと、
前記持続時間が終了する前に前記故障が直されれば、前記通常モードに戻ることと、
前記持続時間が終了しても前記故障が存在すれば、前記製氷機の動作を停止するか、又はスタンバイモードに入ることと、
を含む動作を行うために前記命令を実行する、請求項３に記載の製氷機。
【請求項９】
前記動作が、ユーザインタフェースに警告を発することをさらに含む、請求項８に記載の製氷機。
【請求項１０】
前記動作が、修理員に前記故障の通知を送信することをさらに含む、請求項８に記載の製氷機。
【請求項１１】
前記動作が、前記持続時間が終了するまで、又は前記故障が直されるまで、前記冷凍サイクル及び前記収穫サイクルを前記セーフモードで実行し続けることをさらに含む、請求項８に記載の製氷機。
【請求項１２】
複数のコンポーネント及びコントローラを備える製氷機の動作方法であって、
冷凍サイクル及び収穫サイクルを用いて氷を製造するために通常モードにおいて前記コンポーネントを制御することと、
第１のコンポーネント、第２のコンポーネント及び／又は前記複数のコンポーネントの前記第１のコンポーネント及び前記第２のコンポーネントの両方の故障を検出した場合、前記通常モード中に記録された履歴情報を利用して前記冷凍サイクル及び前記収穫サイクルを用いてセーフモードで氷の製造を継続することと、
を含む方法。
【請求項１３】
前記第１のコンポーネント及び第２のコンポーネントが、それぞれ、氷厚プローブ及び水位プローブであり、前記履歴情報が、所定回数分の最新冷凍サイクルに基づいた最新平均冷凍サイクル時間値及び最新平均注水弁稼動時間値を含む、請求項１２に記載の方法。
【請求項１４】
前記コントローラが、プロセッサと、前記通常モード及び前記セーフモードの命令を含む１つ以上のプログラムが格納されるメモリとを備え、
前記セーフモードの持続時間を測定するタイマを開始することと、
前記履歴情報を用いて前記通常モードのように氷の製造を継続することと、
前記持続時間が終了する前に前記故障が直されれば、前記通常モードに戻ることと、
前記持続時間が終了しても前記故障が存在すれば、前記製氷機の動作を停止するか、又はスタンバイモードに入ることと、
を含むステップを行うための命令をプロセッサに実行させることをさらに含む、請求項１３に記載の方法。
【請求項１５】
ユーザインタフェースに警告を発することをさらに含む、請求項１４に記載の方法。
【請求項１６】
修理員に前記故障の通知を送信することをさらに含む、請求項１４に記載の方法。
【請求項１７】
前記持続時間が終了するまで、又は前記故障が直されるまで、前記冷凍サイクル及び前記収穫サイクルを前記セーフモードで実行し続けることをさらに含む、請求項１４に記載の方法。
【手続補正２】
【補正対象書類名】明細書
【補正対象項目名】０００７
【補正方法】変更
【補正の内容】
【０００７】
本開示の製氷機の別の実施形態において、コントローラは、
氷厚プローブの故障であれば、故障検出前の最新平均冷凍サイクル時間値と、
水位プローブの故障であれば、最新平均注水弁稼働時間値と、
氷厚プローブ及び水位プローブの両方の故障であれば、注水弁稼働時間値及び冷凍サイクル時間値の両方の最新平均値と、
を用いて故障検出後のすべての後続する冷凍サイクルをセーフモードで実行する。
【手続補正３】
【補正対象書類名】明細書
【補正対象項目名】００１６
【補正方法】変更
【補正の内容】
【００１６】
本開示の方法の別の実施形態において、第１のコンポーネント及び第２のコンポーネントは、それぞれ、氷厚プローブ及び水位プローブである。履歴情報は、所定回数分の最新冷凍サイクルに基づいた最新平均冷凍サイクル時間値及び最新平均注水弁稼動時間値を含む。
【国際調査報告】
2014504718.tif 000006